(57)【要約】【課題】電源がなくても非接触型カードに記録された情報を表示する表示カード及び該表示カードを備えたカードケースを提供すること。【解決手段】表示カード６０は、起電用コイル２０と、非接触型カードに内蔵されたチップに記録された情報を読み取るＩＣチップ３０と、表示デバイス４０を備え、起電用コイル２０から供給される電力によりＩＣチップ３０と表示デバイス４０が動作して、ＩＣチップ３０により読み取られた情報を表示デバイス４０に表示する。カードケース１は、非接触型カードを出し入れ可能に収容するケース本体１０内に表示カード６０を備える。非接触型カードが外部機器の発生する磁界変化で起電して情報を送受信する際に、その磁界変化を起電用コイル２０も受けて表示カード６０が動作する。【選択図】図１
2016146175.tif 000002
【特許請求の範囲】
【請求項１】
非接触型カードに内蔵された第１チップに記録された情報を表示する表示カードであって、
起電用コイルと、
前記起電用コイルから供給される電力又は他の電力により動作して前記第１チップに記録された情報を読み取る第２チップと、
前記起電用コイルから供給される電力又は他の電力により動作して前記第２チップにより読み取られた情報を表示する表示デバイスとを備えることを特徴とする表示カード。
【請求項２】
前記第１及び第２チップは、それぞれ、Ｆｅｌｉｃａ及びＮＦＣに準拠することを特徴とする、請求項２に記載の表示カード。
【請求項３】
前記表示デバイスは、電子ペーパーであることを特徴とする、請求項１又は２に記載の表示カード。
【請求項４】
前記電子ペーパーは、書換え時以外には電力を要さないことを特徴とする、請求項３に記載の表示カード。
【請求項５】
前記表示デバイスを動作する電力を供給する電源と、該電源から前記第２チップ及び前記表示デバイスへの電力の供給をオンオフするスイッチとをさらに備えることを特徴とする、請求項１から４のいずれか１項に記載の表示カード。
【請求項６】
前記情報は、チャージ金額の残高であることを特徴とする、請求項１から５のいずれか１項に記載の表示カード。
【請求項７】
非接触型カードに記録された情報を表示するカードケースであって、
前記非接触型カードを出し入れ可能に収容するケース本体と、
前記ケース本体内に設けられる請求項１〜６のいずれか１項に記載の表示カードとを備えることを特徴とするカードケース。
【請求項８】
前記ケース本体は、前記表示カードの前記情報を表示する表示領域を前記ケース本体外に露出する透視口を有することを特徴とする、請求項７に記載のカードケース。
【請求項９】
前記ケース本体は、前記表示カードの前記表示デバイスを動作する電力を供給する別の電源を有することを特徴とする、請求項７又は８に記載のカードケース。
【請求項１０】
前記第２チップによって読み取られた情報を記憶する記憶装置を備え
前記記憶装置の記憶容量は前記第１チップ及び前記非接触型カードの記憶容量よりも大きく、
前記第２チップは、前記読み取られた情報をＦＩＦＯ形式で前記記憶装置に記憶させることを特徴とする、請求項７〜９のいずれか１項に記載のカードケース。
【発明の詳細な説明】
【技術分野】
【０００１】
本発明は、非接触型カードに記録された情報を表示する表示カード及び該表示カードを備えたカードケースに関する。
【背景技術】
【０００２】
鉄道の定期券等に利用される非接触型ＩＣカード（非接触型カードとも呼ぶ）には、チャージ金額の残高、その他の情報が記録されている。その情報は、自動券売機、改札機等の外部機器との間で電波を利用して情報を送受信することで記録される。しかし、記録された情報は非接触型カードには表示されないため、ユーザは非接触型カードを改札機にタッチするなど外部機器により読み取ることでしか、その情報を知ることができない。
【０００３】
そこで、特許文献１には、電子ペーパーにより構成されるリライト領域を有し、そこに目視可能に情報を表示する情報記録媒体が開示されている。しかし、この媒体を使用しない限り、情報を知ることはできない。また、特許文献２には、非接触型カードとは別のカード等を用いて情報を表示するものが開示されている。しかし、別のカードを駆動するための電源が常時必要となる。
【先行技術文献】
【特許文献】
【０００４】
【特許文献１】特開２００４―２５８６９９号公報
【特許文献２】特開平１０−１４９４１４号公報
【非特許文献】
【０００５】
【非特許文献１】Suicaの残高や履歴を読む：http://techblog.qoncept.jp/?p=175
【発明の概要】
【発明が解決しようとする課題】
【０００６】
本発明は、非接触型カードに記録された情報を表示する表示カード及び該表示カードを備えたカードケースを提供することを課題とする。
【課題を解決するための手段】
【０００７】
本発明の表示カードは、
非接触型カードに内蔵された第１チップに記録された情報を表示する表示カードであって、
起電用コイルと、
前記起電用コイルから供給される電力又は他の電力により動作して前記第１チップに記録された情報を読み取る第２チップと、
前記起電用コイルから供給される電力又は他の電力により動作して前記第２チップにより読み取られた情報を表示する表示デバイスとを備えることを特徴とする。
【０００８】
これによれば、表示カードを非接触型カードと重ね合わせ、非接触型カードに内蔵された第１チップに記録された情報を第２チップにより読み取るとともに、非接触型カードが外部機器の発生する磁界変化で起電して外部機器との間で情報を送受信する際に、表示カードもまた外部機器の発生する磁界変化を起電用コイルにより受けることで起電し、その起電力を使用し、又は起電を割り込み信号として他の電力を使用し、第２チップにより情報を読み取り、起電力又は他の電力を使用して表示デバイスを作動することで、第２チップにより読み取られた情報を表示デバイスに表示することができる。
【０００９】
本発明の表示カードは、
前記第１及び第２チップは、それぞれ、Ｆｅｌｉｃａ及びＮＦＣに準拠することを特徴とする。
【００１０】
これによれば、第１及び第２チップがそれぞれ異なる規格であるＦｅｌｉｃａ及びＮＦＣに準拠し、同時に作動しても干渉しないため、表示カードと非接触型カードとを１つのカードケース（パスケース（定期入れ）を含む）に収容して使用することができる。また、非接触型カードを用いた定期券として、Ｆｅｌｉｃａに準拠したチップが広く用いられている。
【００１１】
本発明の表示カードは、
前記表示デバイスは、電子ペーパーであることを特徴とする。
【００１２】
これによれば、表示カードが薄く、表示カードと非接触型カードとを１つのカードケースに収容することが容易になる。
【００１３】
本発明の表示カードは、
前記電子ペーパーは、書換え時以外には電力を要さないことを特徴とする。
【００１４】
これによれば、電子ペーパーが表示する情報を書き換えるときのみ電力を要するため、起電用コイルが電力を供給しない時にも表示デバイスに情報が表示される。
【００１５】
本発明の表示カードは、
前記表示デバイスを動作する電力を供給する電源と、該電源から前記第２チップ及び前記表示デバイスへの電力の供給をオンオフするスイッチとをさらに備えることを特徴とする。
【００１６】
これによれば、スイッチを用いて電源から電力を表示デバイスに供給することで、起電用コイルが電力を供給しない時にも表示デバイスを作動させて、その表示を更新することができる。また、表示に電力を必要とするデバイス、例えば液晶表示器を用いることができる。
この場合、起電用コイルは、それからの電力の供給によって非接触型カードが外部機器にかざされたこと（すなわち表示対象データが更新され得ること）を検出するために活用される。検出によって表示更新の処理を起動することができる。非接触型カードから情報を読取ることは、起電用コイルの電力を使用せずに行うことができる。
【００１７】
本発明の表示カードは、
前記情報は、チャージ金額の残高であることを特徴とする。
【００１８】
これによれば、非接触型カードに記録されたチャージ金額の残高が表示デバイスに表示され、それにより残高を知ることができる。非接触型カードが定期券等の鉄道カードである場合、チャージ金額の残高はユーザが知りたい情報であることが多い。多くの鉄道カードにおいてチャージ金額の残高は暗号化されずに記録されている。
【００１９】
本発明のカードケースは、
非接触型カードに記録された情報を表示するカードケースであって、
前記非接触型カードを出し入れ可能に収容するケース本体と、
前記ケース本体内に設けられる上記の表示カードとを備えることを特徴とする。
【００２０】
これによれば、情報を表示するカードケースが提供される。パスケースとして用いる場合、それに非接触型カードを挿入すると、パスケース内で非接触型カードと表示カードとを重ね合わせた箇所に置くことができる。起電コイルの誘導起電力又は電源からの電力によって、非接触型カードに記録された情報が表示カードに表示される。
【００２１】
本発明のカードケースは、
前記ケース本体は、前記表示カードの前記情報を表示する表示領域を前記ケース本体外に露出する透視口を有することを特徴とする。
【００２２】
これによれば、透視口を介して、電子ペーパーの表示領域に表示される情報を目視することができる。ここで「透視口」は、一方から他方を目視できるものを言う。開口及び透明な被覆体は透視口である。
【００２３】
本発明のカードケースは、
前記ケース本体は、前記表示カードの前記表示デバイスを動作する電力を供給する別の電源を有することを特徴とする。
【００２４】
これによれば、ケース本体が有する別の電源から電力を表示デバイスに供給することで、表示デバイスを作動させて、その表示を更新することができる。
【００２５】
本発明のカードケースは、
前記第２チップによって読み取られた情報を記憶する記憶装置を備え
前記記憶装置の記憶容量は前記第１チップ及び前記非接触型カードの記憶容量よりも大きく、
前記第２チップは、前記読み取られた情報をＦＩＦＯ形式で前記記憶装置に記憶させることを特徴とする、請求項７〜９のいずれか１項に記載のカードケース。
【００２６】
これによれば、非接触カード（第１チップ）の容量を超えて情報を記憶することができる。ＦＩＦＯ形式で記憶することにより、例えばチャージ金額の残高や乗車の記録について、最新の履歴を保存することができる。
【発明の効果】
【００２７】
本発明の表示カードによれば、非接触型カードに記録された情報を表示することが可能となる。
【００２８】
本発明のカードケースによれば、非接触型カードを収容して、非接触型カードに記録された情報を表示することが可能となる。
【図面の簡単な説明】
【００２９】
【図１】図１は、表示カードの構成を示す図である。（実施例１）
【図２】図２は、カードケースの構成を示す図である。（実施例１）
【図３】図３は、ＩＣチップの処理を示す図である。（実施例１）
【図４】図４は、カードケースの構成を示す図である。（実施例２）
【図５】図５は、表示カードを示す図である。（実施例３）
【図６】図６は、カードケースの構成を示す図である。（実施例３）
【図７】図７は、表示カードを示す図である。（実施例４）
【図８】図８は、カードケースの構成を示す図である。（実施例４）
【発明を実施するための形態】
【００３０】
以下、本発明の実施例について説明する。
【実施例１】
【００３１】
（表示カード）
図１に、表示カード６０の構成を示す。表示カード６０は、例えばプラスチック製の１枚のカードに、起電用コイル２０、ＩＣチップ（第２チップ）３０及び表示デバイス４０（コントローラ４２を備えている）を設けたものである。
【００３２】
起電用コイル２０は、導線を、基材１２の裏面上にその外縁に沿って複数回周回して配設することで構成されている。導線の両端部は、ＩＣチップ３０及び表示デバイス４０（コントローラ４２を含む。以下同じ。）に接続されている。起電用コイル２０には、周囲の磁界変化によって誘導起電力が発生する。発生した誘導起電力はＩＣチップ３０及び表示デバイス４０に供給される。
【００３３】
ＩＣチップ３０は、非接触型カード７０に内蔵されたチップに記録された情報を読み取るものである。ＩＣチップ３０は、読み取った情報に基づき、コントローラ４２を介して表示デバイス４０の表示を更新する。ＩＣチップ３０として、一例として、ＮＦＣに準拠するものを採用する。非接触型カード７０のチップ（第１チップ）はＦｅｌｉｃａに準拠するものとする。非接触型カード７０に表示カード６０を重ねて２枚のカードを同時に使用することが可能である。
【００３４】
表示デバイス４０は、表示領域４０ａを有し、それにＩＣチップ３０から送信される情報を表示するデバイスである。本実施例では、表示デバイス４０として、書換え時以外には電力を要さない例えば電気泳動方式の電子ペーパーを採用する。電子ペーパーが表示する情報を書き換えるときにのみ電力を要するため、起電用コイル２０が電力を供給しない時にも表示領域４０ａに情報が表示される。
【００３５】
非接触型カード７０に表示カード６０を重ね、外部機器（例えば改札機）にかざすと、外部機器の発生する磁界変化によって起電用コイル２０に誘導起電力が発生する。この誘導起電力がＩＣチップ３０と表示デバイス４０に供給される。ＩＣチップ３０と表示デバイス４０が動作して、ＩＣチップ３０により読み取られた情報を表示デバイス４０に表示する。
【００３６】
表示カード６０は、非接触型カード７０と同様に非接触型のカードである。本明細書では、情報を読み取られる対象であるカードを「非接触型カード７０」と呼び、情報を読み取り表示するカードについては「非接触型カード」でなく「表示カード６０」と呼んで２種のカードを区別する。
【００３７】
図２に、ＩＣチップ３０の処理を示す。図２（Ａ）は標準的な処理である。処理は、表示カード６０が外部機器にかざされて起電用コイル２０に誘導起電力が発生することで開始される（ステップ３１）。
【００３８】
ＩＣチップ３０は、非接触型カード７０に内蔵されたチップに記録された情報を読み取り、情報取得を行う（ステップ３３）。非接触型カード７０（例えばＳｕｉｃａ（登録商標））からの情報の読み取りは、例えば非特許文献１に記載された公知の手法によればよい。
【００３９】
ここで、非接触型カード７０から読み取られる情報は、例えば鉄道の乗車・降車の記録、チャージ金額の残高である。非接触型カード７０は、外部機器（例えば改札機）にかざされる都度、情報を更新する。更新された情報が読み取られる。
【００４０】
ＩＣチップ３０は、読み取った情報が前回と同一であるか否かを判定する（ステップ３４）。このため、読み取った情報をＩＣチップ３０内に記録し、前回と同一でない場合にはその記録を更新するものとする。ステップ３１の開始の直後にも、その前の処理で最後に読み取った情報がＩＣチップ３０に記録されている。なお、読み取った情報として、直前の１回分のみでなく、複数回分の履歴を記録することもできる。履歴の記録については、実施例４において詳述する。
【００４１】
ＩＣチップ３０は、読み取った情報が前回と同一である場合には再び情報を読み取り、同一でない場合には表示デバイス４０にその情報を表示させて（ステップ３５）再び情報を読み取る。これにより、非接触型カード７０に内蔵されたチップに記録された情報が更新された時に、表示デバイス４０の表示が更新される。
【００４２】
ここで、定期券として広く用いられている非接触型カード７０は、多くの情報を暗号化して保持している。その中で、チャージ金額の残高を含む情報が暗号化されずに保持されており、読み取ることができる。
【００４３】
図２（Ａ）には処理の終了が示されていないが、表示カード６０が外部機器から離間して起電用コイル２０の誘導起電力が消滅したことで処理が終了する。
【００４４】
図２（Ｂ）に、ＩＣチップ３０の代替処理を示す。代替処理を標準的な処理と比較すると、開始直後に所定の時間だけ待機すること（ステップ３２）が加わり、読み取った情報が前回と同一であるか否かの判定（ステップ３４）を行わない点で相違する。ステップ３１，３３及び３５は同一である。
【００４５】
この代替処理は、表示カード６０と非接触型カード７０とが同時に外部機器にかざされ、外部機器によって非接触型カード７０に記録された情報が更新されるに要する時間がほぼ一定であることを前提としたものである。その一定の時間よりもやや長い時間を所定の時間（例えば1秒）として待機し（ステップ３２）、その後に更新された情報を読みとり（ステップ３３）、表示デバイス４０にその情報を表示させる（ステップ３５）。１回のみの情報取得によって表示デバイス４０の表示が更新される。
【００４６】
所定の時間を長めに設定すると、情報取得時には非接触型カード７０に記録された情報が確実に更新されている。一方、所定の時間が経過した時には表示カード６０が外部機器から離間していて誘導起電力がなく情報取得ができない可能性もある。この問題については、ユーザに所定の時間を知らせて確実に外部機器にかざしてもらう、表示カード６０に誘導起電力を貯えるキャパシタを設けて所定の時間後にキャパシタからの電力によって更新された情報の読みとり（ステップ３３）を実行する、その他の方策が考えられる。
【００４７】
なお、代替処理においても、ステップ３３と３５の間において、読み取った情報が前回と同一であるか否かの判定を行い、同一でないときにのみ表示デバイス４０にその情報を表示させることとしてもよい。
【００４８】
（カードケース）
図３に、カードケース１の構成を、非接触型カード７０が収容された状態で示す。図３（Ａ）はカードケース１の表側の構成を示し、図３（Ｂ）はカードケース１の裏側の構成を示し、図３（Ｃ）はカードケース１の断面（図３（Ａ）におけるＳ−Ｓ線断面）の構成を示す。カードケース１は、非接触型カード７０を収容するとともに、それに記録された情報を表示するケースであり、ケース本体１０及び表示カード６０から構成される。なお、非接触型カード７０は、一例としてＦｅｌｉｃａに準拠するチップが内蔵された定期券等の鉄道カードであり、これにチャージ金額の残高等の情報が記録されているものとする。
【００４９】
ケース本体１０は、基材１２、カバー１４及び支持材１６から構成される。
【００５０】
基材１２は、ケース本体１０の構成各部を支持するケースの中心材であり、厚紙、樹脂等、適当な剛性を有する素材を用いて、非接触型カード７０より大きいサイズの矩形板状に成形されている。
【００５１】
カバー１４は（図１（Ｂ）参照）、樹脂、ポリエステル、布等の素材を用いて基材１２と同じサイズの縦幅、若干小さいサイズの横幅の矩形状に成形されている。基材１２とカバー１４との間に表示カード６０が挿入されている（図１（Ｃ）参照）。カバー１４には、図１（Ｂ）に示すように、透視口１４ａが形成されている。表示カード６０の表示デバイス４０の表示領域４０ａが透視口１４ａから露出し、これにより、ユーザは透視口１４ａを介して表示デバイス４０の表示領域４０ａに表示される情報を目視することができる。なお、表示カード６０を挿入した基材１２とカバー１４とを封じて表示カード６０が取り出されることがないように封入してもよい。
【００５２】
支持材１６（図１（Ａ）参照）は、カードケース１に収容する非接触型カード７０を基材１２との間に保持する部材であり（図１（Ｃ）参照）、カバー１４と同じ素材を用いて、基材１２と同じサイズの縦幅、若干小さいサイズの横幅の矩形状に成形されている。支持材１６には、透視口１６ａが形成されている。支持材１６は、その上辺、下辺、及び右辺をカバー１４によりカバーされた基材１２の上辺、下辺、及び右辺にそれぞれ重ねて固定される。それにより、基材１２と支持材１６との間に、支持材１６の左から非接触型カード７０を出し入れする収容空間が形成される。非接触型カードを収容した際、非接触型カードの少なくとも中央が透視口１６ａから露出し、これにより、ユーザは透視口１６ａを介して非接触型カードの一面に記録される情報を目視することができる。
【００５３】
カードケース１に非接触型カード７０を収容すると、表示カード６０と非接触型カード７０とが重なって配置される。非接触型カード７０を、カードケース１に収容した状態で、改札機等の外部機器にかざして使用すると、ＩＣチップ３０により読み取られた情報が表示デバイス４０に表示される。
【００５４】
本実施例において、非接触型カード７０は、定期券等の鉄道カードであることが多いと考えられるが、他のものであっても表示カード６０による情報表示は有用である。また、鉄道カードであるときにおいて、情報はチャージ金額の残高であるとすることが好ましい。それにより、非接触型カードに記録されたチャージ金額の残高が表示デバイス４０に表示され、残高を知ることができる。
【実施例２】
【００５５】
本実施例は、実施例１とは相違するカードケース１の構成を示すものである。他の点は実施例１と同様であり、詳細な説明を省略する。
【００５６】
図４に、カードケース１の構成を、非接触型カード７０が収容された状態で示す。図４（Ａ）及び（Ｂ）はカードケース１の断面（図４（Ｃ）におけるＳ−Ｓ線断面）の構成を示し、図４（Ｃ）はカードケース１の内面（図４（Ｂ）におけるＴ方向から見た面）の構成を示す。
【００５７】
カードケース１は、２つ折りのカードケースであり、基材１２が外側の両面に設けられ、カバー１４及び支持材１６がそれぞれ内側に設けられている。
【００５８】
カードケース１は、折り畳むと図４（Ａ）の形状となり、この状態で外部機器にかざして非接触型カード７０を使用することができ、表示カード６０が動作して表示デバイス４０に情報が表示される。
【００５９】
カードケース１を拡げると図４（Ｂ）の形状となり、透視口１４ａ及び１６ａから情報を目視することができる（図４（Ｃ）参照）。通常はカードケース１が折畳まれており、情報を目視することができない。表示される情報を他人に知られたくない（例えば個人情報のプライバシー保護を望む）ユーザに配慮したものである。
【実施例３】
【００６０】
本実施例は、電源を備えた表示カード６０を使用するものである。他の点は実施例１と同様であり、詳細な説明を省略する。
【００６１】
（表示カード）
図５に、表示カード６０の構成を示す。表示カード６０は、図１に示した構成に、電源５０、スイッチ５２及び充電端子５６を付加したものである。
【００６２】
電源５０は、厚さ０．４ｍｍ程度の超薄型のものとする。表示カード６０に組み込むことができるものである。
【００６３】
スイッチ５２は、電源５０からＩＣチップ３０及び表示デバイス４０への電力の供給を制御する。起電用コイル２０からＩＣチップ３０及び表示デバイス４０に電力を供給する回線上に接点５４が設けられ、電源５０と接点５４とを接続する回線にスイッチ５２が設けられている。
【００６４】
充電端子５６は、例えばＡＣ／ＤＣコンバータを介して供給される外部電力を接続して電源５０を充電するための端子である。
【００６５】
（カードケース）
図６に、カードケース１の構成を、非接触型カード７０が収容された状態で示す。図６（Ａ）はカードケース１の表側の構成を示し、図６（Ｂ）はカードケース１の裏側の構成を示し、図６（Ｃ）はカードケース１の断面（図６（Ａ）におけるＳ−Ｓ線断面）の構成を示す。図６（Ａ）及び図６（Ｃ）は、実施例１における図３（Ａ）及び図３（Ｃ）と同一である。図６（Ｂ）は、実施例１における図３（Ｂ）に、スイッチボタン５２ａが付されている。
【００６６】
スイッチボタン５２ａを操作しない場合には、スイッチ５２が切断され、実施例１と同様にカードケース１が使用される。改札機等の外部機器にかざして使用する場合には、スイッチボタン５２ａを操作せずに表示デバイス４０に情報を表示することができる。
【００６７】
スイッチボタン５２ａを操作する（押す）と、スイッチ５２が接続され、電源５０からＩＣチップ３０及び表示デバイス４０に電力が供給され、カードケース１を外部機器にかざさずに、非接触型カード７０から情報を読取って、表示デバイス４０に情報を表示することができる。例えば、非接触型カード７０を交換した直後にスイッチボタン５２ａを操作して交換後の非接触型カード７０に記録されたチャージ金額の残高を表示することができる。なお、非接触型カード７０からの情報の読取は、実施例１と同様に、カードケース１が外部機器にかざされた際にも行われる。その際の電力は、起電用コイル２０によるものであっても電源５０によるものであってもよい。
【００６８】
表示カード６０をカードケース１から取り出し、充電端子５６に外部電源を接続して電源５０を充電することができる。実施例１においては表示カード６０をカードケース１から取り出す必要がなく、表示カード６０をカバー１４内に封入することもできた。本実施例においては、充電を可能にするため、封入せずに取り出し可能とする。
【実施例４】
【００６９】
本実施例は、外部電源（バッテリ８０）に接続可能な表示カード６０を使用するものである。他の点は実施例３と同様であり、詳細な説明を省略する。
【００７０】
（表示カード）
図７に、表示カード６０の構成を示す。表示カード６０は、図１に示した構成に、スイッチ５２及び外部端子５８を付加したものである。ＩＣチップ３０は、非接触型カード７０の記憶容量よりも大きな記憶容量を有する。ＩＣチップ３０の記憶は不揮発性である。また、表示デバイス４０は、液晶表示器である。
【００７１】
スイッチ５２は、外部端子５８を介して外部電源（バッテリ８０）からＩＣチップ３０及び表示デバイス４０への電力の供給を制御する。起電用コイル２０からＩＣチップ３０及び表示デバイス４０に電力を供給する回線上に接点５４が設けられ、外部端子５８と接点５４とを接続する回線にスイッチ５２が設けられている。
【００７２】
本実施例では、バッテリ８０を用いるので、表示カード６０は十分な電力源を有する。表示に電力を必要とするデバイス、例えば液晶表示器、を用いることができる。また、起電用コイル２０の電力を使用せずに非接触型カード７０から情報を読取ることができる。なお、実施例３においても、電源５０から十分な電力を供給できるのであれば本実施例と同様にすることができる。十分な電力源を有する場合については、実施例３でなく本実施例において説明するものである。
【００７３】
外部端子５８は、表示カード６０の右下端部の近傍に設けられて、外部電源に接続するための端子である。
【００７４】
（カードケース）
図８に、カードケース１の構成を、非接触型カード７０が収容された状態で示す。図８（Ａ）はカードケース１の表側の構成を示し、図８（Ｂ）はカードケース１の裏側の構成を示し、図８（Ｃ）はカードケース１の断面（図８（Ａ）におけるＳ−Ｓ線断面）の構成を示す。カードケース１は、実施例１におけるそれに対して、バッテリ８０及びスイッチボタン５２ａがさらに設けられている。
【００７５】
バッテリ８０は、表示カード６０のＩＣチップ３０及び表示デバイス４０を動作するための電力を供給する外部電源であり、図８（Ｃ）より分かるように、支持材１６及びカバー１４によりカードケース１の右端に形成された空間内に収容されている。バッテリ８０として、例えばボタン型電池を使用することができる。また、カードケース１に収容できる限りにおいて、大型・長寿命のものを用いてもよい。バッテリ８０は、配線を介してカードケース１に収容された表示カード６０の外部端子５８に接続される。
【００７６】
スイッチボタン５２ａは、カードケース１の右下端部の近傍に設けられ、表示カード６０のスイッチ５２を操作するための部材である。本実施例においては、実施例３と相違して、スイッチボタンを操作しない場合にもスイッチ５２が接続されている。カードケース１を改札機等の外部機器にかざして使用する場合には、スイッチ５２を切断した状態において、実施例１と同様に使用することもできる。また、スイッチ５２を接続した状態で使用しても問題ない。カードケース１を外部機器にかざさずに使用する場合には、スイッチ５２を接続することで、バッテリ８０から起電用コイル２０を介してＩＣチップ３０及び表示デバイス４０に電力が供給され、表示デバイス４０に情報を表示、更新することができる。これにより、カードのチャージ金額の残高等を常時表示することができる。
【００７７】
非接触型カード７０外部機器（例えば改札機）にかざされると、起電用コイル２０に電流が流れる。その電流を割り込み信号として、ＩＣチップ３０の読取機能が起動される。読取機能は、バッテリ８０の供給する電力により、非接触型カード７０から情報を読取る。
【００７８】
ＩＣチップ３０の読取機能が起動される都度、非接触型カード７０から読取られる情報（鉄道の乗車・降車の記録、チャージ金額の残高、その他）が、ＩＣチップ３０に記録される。ＩＣチップ３０は、非接触型カード７０の記憶容量よりも大きな記憶容量を有し、読取りの多数回分（例えば１０００回分）の情報を保持できるものとする。記憶容量及び保持する情報の量は設計事項として定めてよいが、本実施例では１０００回分の情報が記憶できるものとする。なお、読取る情報は固定され１回の読取りのデータサイズが一定であるので、１０００回分の情報を記憶するのに必要な容量を予め定めることができる。
【００７９】
ＩＣチップ３０は、記憶容量の残量が読み取った情報を保存するのに不十分である場合には、最初に読み取った情報を削除するＦＩＦＯ形式で情報を管理する。これにより、最新の履歴が保持されることとなる。保持された情報（履歴）は、ＵＳＢ等の外部接続端子（非図示）を介して外部機器から参照することができる。また、表示カード６０に設けられたボタンの操作によって履歴を表示することとしてもよい。
【００８０】
非接触型カード７８は、多数回の情報を保持していない。表示カード６０に多数回の情報を保持することによって、履歴を管理することができる。なお、保持された情報を、例えばマイクロＵＳＢ端子（非図示）を介して外部に送信されるものとしてもよい。
【００８１】
以上に述べた、液晶表示器である表示デバイス４０による表示、ＩＣチップ３０への履歴の記憶、記憶された情報の外部への送信は、バッテリ８０の供給する電力により安定して行われる。
【００８２】
なお、バッテリ８０を取り出して交換することができるようにカードケース１に開閉蓋を設けてもよい。また、実施例３の表示カードを本実施例のカードケース１に収容して、充電端子５６を介してバッテリ８０を電源５０に接続して、これを充電することとしてもよい。
【産業上の利用可能性】
【００８３】
非接触型カードに記録された情報を表示することのできる表示カード、及び非接触型カードを収容してそれに記録された情報を表示することのできるカードケースであり、多くの個人による利用が考えられる。
【符号の説明】
【００８４】
１    カードケース
１０    ケース本体
１２    基材
１４    カバー
１４ａ  透視口
１６    支持材
１６ａ  透視口
２０    起電用コイル
３０    ＩＣチップ
４０    表示デバイス
４０ａ  表示領域
４２    コントローラ
５０    電源
５２    スイッチ
５４    接点
５６    充電端子
５８    外部端子
６０    表示カード
７０    非接触型カード
８０    バッテリ
【図１】
2016146175.tif 000003
【図２】
2016146175.tif 000004
【図３】
2016146175.tif 000005
【図４】
2016146175.tif 000006
【図５】
2016146175.tif 000007
【図６】
2016146175.tif 000008
【図７】
2016146175.tif 000009
【図８】
2016146175.tif 000010